(57)【特許請求の範囲】
【請求項１】
予め定められた所定時間分のアナログの入力映像情報をデジタル化して記録ディスクに記録しつつ、その記録ディスクに記録された記録映像情報を再生するとともに、その再生動作を一時中断したのちに前記記録ディスクの記録映像情報の再生動作を再開する際に、最大で前記所定時間まで遡って再生可能な時間差再生機能を有する情報再生装置において、
前記アナログの入力映像情報をデジタル化するアナログ／デジタル変換部と、
前記アナログ／デジタル変換部によりデジタル化された入力映像情報に含まれているコピーガード信号を検知して前記コピーガード信号が含まれる旨の検知情報を発生するコピーガード検知部と、
デジタル化された入力映像情報を前記記録ディスクに記録して録画ファイルを形成する記録処理と、前記コピーガード検知部が発生した検知情報をこれに対応する映像情報の記録時間帯に関連付けながら前記記録ディスクに記録してコピーガード参照ファイルを形成する記録処理とを並行して実行するとともに、前記入力映像情報が前記所定時間分を超えたときに前記記録ディスクの記録の先頭位置から上書き記録し、前記記録ディスクに記録された記録映像情報を再生する際に、前記記録ディスクに記録された前記記録映像情報と共に前記検知情報を再生すると同時に再生済みの前記記録映像情報を前記記録ディスクから順次に消去する記録再生部と、
前記記録再生部により再生されたデジタルの再生映像情報のうちの前記検知情報と記録時間帯が対応する再生映像情報にのみコピーガード信号を付加するコピーガード付加部と、
前記コピーガード付加部によりコピーガード信号が付加されたデジタルの再生映像情報をアナログ化して出力端子に出力するアナログ／デジタル変換部と、
前記記録ディスクに記録された記録映像情報を時間差再生することが可能な前記所定時間を可変設定する設定部とを備えていることを特徴とする情報再生装置。
【請求項２】
予め定められた所定時間分のアナログの入力映像情報をデジタル化して記録ディスクに記録しつつ、その記録ディスクに記録された記録映像情報を再生するとともに、その再生動作を一時中断したのちに前記記録ディスクの記録映像情報の再生動作を再開する際に、最大で前記所定時間まで遡って再生可能な時間差再生機能を有する情報再生装置において、
前記アナログの入力映像情報がデジタル化された入力映像情報に含まれているコピーガード信号を検知して前記コピーガード信号が含まれる旨の検知情報を発生するコピーガード検知部と、
デジタル化された入力映像情報を前記記録ディスクに記録して録画ファイルを形成する記録処理と、前記コピーガード検知部が発生した検知情報をこれに対応する映像情報の記録時間帯に関連付けながら前記記録ディスクに記録することによりコピーガード参照ファイルを形成する記録処理とを並行して実行し、前記記録ディスクに記録された記録映像情報を再生する際に、前記記録ディスクに記録された前記記録映像情報と共に前記検知情報を再生する処理部と、
前記処理部により再生された再生映像情報のうちの前記検知情報と記録時間帯が対応する再生映像情報にのみに前記コピーガード信号を付加するコピーガード付加部と、
前記コピーガード付加部によりコピーガード信号が付加されたデジタルの再生映像情報をアナログ化して出力端子に出力するアナログ／デジタル変換部とを備えていることを特徴とする情報再生装置。
【請求項３】
前記処理部が、前記記録ディスクに記録された記録映像情報を再生すると同時に再生された前記記録映像情報を前記記録ディスクから順次に消去することを特徴とする請求項２に記載の情報再生装置。
【請求項４】
前記処理部が、アナログの入力映像情報をデジタル化するアナログ／デジタル変換部と、前記アナログ／デジタル変換部によりデジタル化された入力映像情報の前記記録ディスクへの記録及び前記記録ディスクに記録された記録映像情報の再生を行う前記記録再生部と、前記記録再生部により再生されたデジタルの再生映像情報をアナログ化して出力端子に出力するデジタル／アナログ変換部とを備えていることを特徴とする請求項２または３に記載の情報再生装置。
【請求項５】
前記処理部が、前記入力映像情報が前記所定時間分を超えるときには前記入力映像情報を前記記録ディスクの記録の先頭位置から上書き記録することを特徴とする請求項２ないし４のいずれかに記載の情報再生装置。
【請求項６】
前記時間差再生機能により前記記録ディスクに記録された記録映像情報を所定時間遡って時間差再生するその所定時間を可変設定するための設定部を備えていることを特徴とする請求項２ないし５のいずれかに記載の情報再生装置。
【発明の詳細な説明】
【０００１】
【発明の属する技術分野】
この発明は、予め定められた所定時間分の入力映像情報を記録ディスクに記録しつつ、その記録ディスクに記録された記録映像情報を、最大でその所定時間まで遡って再生可能な時間差再生機能を有する情報再生装置に関する。
【０００２】
【従来の技術】
従来、時間差再生機能を有する情報再生装置では、例えば２時間分のアナログの入力映像情報をデジタル化して記録ディスクであるハードディスクに記録し、ハードディスクの記録情報を最大で２時間前まで遡って再生することができる。
【０００３】
ところで、映画その他の映像情報に関しては、著作権保護のために違法コピーが禁止されており、そのための技術としてマクロビジョン(Macrovision)仕様があり、これは特許掲載公報第２８９５６２９号や特開２０００−３０８００６号公報に記載のように、アナログの映像信号のバースト期間にコピーガード信号を付加するというものである。
【０００４】
この仕様によれば、アナログ方式のＶＣＲ(Video Cassette Recorder )によって映像信号をコピーしようとすると、映像信号と共にダミーの同期信号及びカラーバースト信号がビデオテープに記録されるため、映像信号を正常に再生することができなくなって違法コピーが防止されるのである。
【０００５】
【発明が解決しようとする課題】
一方、上記した時間差再生機能を有する情報再生装置の場合、コピーを目的としてハードディスクに映像情報を記録するものではなく、本来の目的はある時間を遡って再生することであるため、上記したマクロビジョンのようなコピーガード信号が付加されたアナログの入力映像情報であっても時間差再生を行えるようにすることが望まれている。
【０００６】
このように、コピーガード信号が付加されたアナログの入力映像情報であっても、時間差再生機能を有する情報再生装置により時間差再生を可能にするには、再生後にハードディスクの記録情報を消去すると共に、再生された映像情報に違法コピーを防止するためにコピーガード信号を付加する必要がある。
【０００７】
しかしながら、この種情報再生装置には、このようにコピーガード信号を付加する機能を備えたものはなく、従来の時間差再生機能を有する情報再生装置ではコピーガード信号が付加されたアナログの入力映像情報を時間差再生することができない。
【０００８】
ところで、上記した特許掲載公報第２８９５６２９号や特開２０００−３０８００６号公報のほか、特許掲載公報第３１２８９５９号、特開平６−７０２８２号公報などにおいて違法コピーを禁止する技術が記載されているが、これらの装置は、本願発明のような時間差再生機能を有する情報再生装置に関するものではない。
【０００９】
そこで、本発明は、コピーガード信号が付加された入力映像情報の時間差再生が可能な情報再生装置を提供することを目的とする。
【００１０】
【課題を解決するための手段】
上記した目的を達成するために、本発明は、予め定められた所定時間分のアナログの入力映像情報をデジタル化して記録ディスクに記録しつつ、その記録ディスクに記録された記録映像情報を再生するとともに、その再生動作を一時中断したのちに前記記録ディスクの記録映像情報の再生動作を再開する際に、最大で前記所定時間まで遡って再生可能な時間差再生機能を有する情報再生装置において、前記アナログの入力映像情報をデジタル化するアナログ／デジタル変換部と、前記アナログ／デジタル変換部によりデジタル化された入力映像情報に含まれているコピーガード信号を検知して前記コピーガード信号が含まれる旨の検知情報を発生するコピーガード検知部と、デジタル化された入力映像情報を前記記録ディスクに記録して録画ファイルを形成する記録処理と、前記コピーガード検知部が発生した検知情報をこれに対応する映像情報の記録時間帯に関連付けながら前記記録ディスクに記録してコピーガード参照ファイルを形成する記録処理とを並行して実行するとともに、前記入力映像情報が前記所定時間分を超えたときに前記記録ディスクの記録の先頭位置から上書き記録し、前記記録ディスクに記録された記録映像情報を再生する際に、前記記録ディスクに記録された前記記録映像情報と共に前記検知情報を再生すると同時に再生済みの前記記録映像情報を前記記録ディスクから順次に消去する記録再生部と、
前記記録再生部により再生されたデジタルの再生映像情報のうちの前記検知情報と記録時間帯が対応する再生映像情報にのみコピーガード信号を付加するコピーガード付加部と、前記コピーガード付加部によりコピーガード信号が付加されたデジタルの再生映像情報をアナログ化して出力端子に出力するアナログ／デジタル変換部と、前記記録ディスクに記録された記録映像情報を時間差再生することが可能な前記所定時間を可変設定する設定部とを備えていることを特徴としている。
【００１１】
このような構成によれば、アナログの入力映像情報に含まれるコピーガード信号がコピーガード検知部により検知されてコピーガード信号が含まれる旨の検知情報が発生され、アナログ／デジタル変換部により、アナログの入力映像情報がデジタル化されたのち、記録再生部が、デジタル化された入力映像情報を前記記録ディスクに記録して録画ファイルを形成する記録処理と、前記コピーガード検知部が発生した検知情報をこれに対応する映像情報の記録時間帯に関連付けながら前記記録ディスクに記録してコピーガード参照ファイルを形成する記録処理とを並行して実行する。このように録画ファイルとコピーガード参照ファイルとを共有化したことにより、時間差再生機能を有する情報再生装置において、コピーガード信号が付加されたアナログの入力映像情報を記録ディスクに記録することが可能になる。
【００１２】
そして、記録再生部により、記録ディスクに記録された記録映像情報が再生される際に検知情報も一緒に再生され、この再生と同時に再生された記録映像情報が記録ディスクから順次に消去され、再生されたデジタルの再生映像情報のうちの前記検知情報と記録時間帯が対応する再生映像情報にのみコピーガード信号を付加されたのち、このコピーガード信号が付加されたデジタルの再生映像情報がアナログ化されて出力端子に出力される。
【００１３】
そのため、コピーガード信号が付加されたアナログの入力映像情報であっても、時間差再生を行うことができ、記録ディスクには再生後の情報は一切残ることがなく、しかも元の入力映像情報と同じくコピーガード信号が付加された映像情報を出力端子から出力することができて後段における違法コピーを防止することができる。
【００１４】
また、本発明は、予め定められた所定時間分のアナログの入力映像情報をデジタル化して記録ディスクに記録しつつ、その記録ディスクに記録された記録映像情報を再生するとともに、その再生動作を一時中断したのちに前記記録ディスクの記録映像情報の再生動作を再開する際に、最大で前記所定時間まで遡って再生可能な時間差再生機能を有する情報再生装置において、前記アナログの入力映像情報がデジタル化された入力映像情報に含まれているコピーガード信号を検知して前記コピーガード信号が含まれる旨の検知情報を発生するコピーガード検知部と、デジタル化された入力映像情報を前記記録ディスクに記録して録画ファイルを形成する記録処理と、前記コピーガード検知部が発生した検知情報をこれに対応する映像情報の記録時間帯に関連付けながら前記記録ディスクに記録することによりコピーガード参照ファイルを形成する記録処理とを並行して実行し、前記記録ディスクに記録された記録映像情報を再生する際に、前記記録ディスクに記録された前記記録映像情報と共に前記検知情報を再生する処理部と、前記処理部により再生された再生映像情報のうちの前記検知情報と記録時間帯が対応する再生映像情報にのみに前記コピーガード信号を付加するコピーガード付加部と、前記コピーガード付加部によりコピーガード信号が付加されたデジタルの再生映像情報をアナログ化して出力端子に出力するアナログ／デジタル変換部とを備えていることを特徴としている。
【００１５】
このような構成によれば、入力映像情報に含まれるコピーガード信号がコピーガード検知部により検知されてコピーガード信号が含まれている旨の検知情報が発生され、処理部が、デジタル化された入力映像情報を前記記録ディスクに記録して録画ファイルを形成する記録処理と、前記コピーガード検知部が発生した検知情報をこれに対応する映像情報の記録時間帯に関連付けながら前記記録ディスクに記録してコピーガード参照ファイルを形成する記録処理とを並行して実行する。このように録画ファイルとコピーガード参照ファイルとを共有化したことにより、時間差再生機能を有する情報再生装置において、コピーガード信号が付加されたアナログの入力映像情報を記録ディスクに記録することが可能になる。そして、処理部により、記録ディスクに記録された記録映像情報が再生される際に検知情報も一緒に再生され、コピーガード付加部により、再生映像情報のうちの前記検知情報と記録時間帯が対応する再生映像情報にのみに前記コピーガード信号が付加されるため、コピーガード信号が付加された入力映像情報であっても、時間差再生を行うことができ、元の入力映像情報と同じ状態でコピーガード信号が付加された映像情報を出力端子から出力することができて後段での違法コピーを防止することができる。
【００１６】
また、本発明は、前記処理部が、記録ディスクに記録された記録映像情報を再生すると同時に記録ディスクに記録された記録映像情報を再生すると同時に再生された記録映像情報を記録ディスクから順次に消去することを特徴としている。このような構成によれば、処理部により、記録ディスクに記録された記録映像情報が再生されると同時に再生された記録情報が記録ディスク順次に消去されて記録ディスクに残らないため、違法コピーとなることがない。
【００１７】
また、本発明は、前記処理部が、アナログの入力映像情報をデジタル化するアナログ／デジタル変換部と、前記アナログ／デジタル変換部によりデジタル化された入力映像情報の前記記録ディスクへの記録及び前記記録ディスクに記録された記録映像情報の再生を行う前記記録再生部と、前記記録再生部により再生されたデジタルの再生映像情報をアナログ化して出力端子に出力するデジタル／アナログ変換部とを備えていることを特徴としている。
【００１８】
このような構成によれば、アナログ／デジタル変換部により、コピーガード信号が付加されたアナログの入力映像情報がデジタル化され、記録再生部により、デジタル化された入力映像情報が記録ディスクに記録され、記録ディスクに記録されたデジタルの記録映像情報が再生され、デジタル／アナログ変換部により、記録再生部により再生された再生映像情報がアナログ化されるようにすることができる。
【００１９】
また、本発明は、前記処理部が、前記入力映像情報が前記所定時間分を超えるときには前記入力映像情報を前記記録ディスクの記録の先頭位置から上書き記録することを特徴としている。このような構成によれば、限られた容量の記録ディスクを有効に利用することができ、本来的に所定時間分の時間差再生を可能にするものであるため、所定時間分を超える入力映像情報を記録ディスクの記録の先頭位置から上書きしても実用上何ら支障がない。
【００２０】
また、本発明は、前記時間差再生機能により前記記録ディスクに記録された記録映像情報を所定時間遡って時間差再生するその所定時間を可変設定するための設定部を備えていることを特徴としている。このような構成によれば、時間差再生で遡ることのできる最大時間をユーザの好みに合わせて可変設定することができる。
【００２１】
【発明の実施の形態】
この発明の一実施形態について図１及び図２を参照して説明する。但し、図１はブロック図、図２は動作説明図である。
【００２２】
本実施形態における情報再生装置は、例えば図１に示すように構成されている、即ち、衛星放送用受信アンテナ１を介して、衛星放送受信用チューナを備えたセットトップボックス（以下、ＳＴＢと称する）２により衛星放送が受信されると、その受信信号がデコーダ３に入力されてその受信信号にかけられている所定方式のスクランブルがデコーダ３により解除され、スクランブル解除後の衛星放送の入力映像情報が情報再生装置５の入力端子ＴＩ１に入力される。また、その他のアナログの入力映像情報は、情報再生装置５のもうひとつの入力端子ＴＩ２に入力されるようになっている。
【００２３】
そして、図１に示すように、これら入力端子ＴＩ１またはＴＩ２に入力されるアナログの入力映像情報は情報再生装置５に入力され、時間差再生される。この情報再生装置５は、アナログ／デジタル変換部（以下、Ａ／Ｄと称する）５１、コピーガード検知部５２、記録再生部５３、コピーガード付加部５４、デジタル／アナログ変換部（以下、Ｄ／Ａと称する）５５、設定部５６及び記録ディスクであるハードディスクＨＤを備えている。ここで、Ａ／Ｄ５１、記録再生部５３及びＤ／Ａ５５により、本発明の処理部が構成されている。
【００２４】
アナログの入力映像情報が入力端子ＴＩ１またはＴＩ２を介して入力されると、Ａ／Ｄ５１により入力映像情報はデジタル化され、コピーガード検知部５２によりコピーガード信号が付加されているかどうか検知される。このとき、コピーガードが上記したマクロビジョン方式である場合には、Ａ／Ｄ５１及びコピーガード検知部５２として、フィリップス(Philips )社の型番ＳＡＡ７１１３Ｈのビデオ入力用ＩＣを利用することができ、このＩＣによれば、アナログ／デジタル変換が可能で、かつマクロビジョンによるコピーガードの有無を検知することができる。
【００２５】
そして、コピーガード検知部５２により、コピーガード信号が検知されたときには、コピーガード信号が含まれる旨の検知情報が発生され、記録再生部５３により、デジタルの入力映像情報がこの検知情報と共にハードディスクＨＤに記録される。一方、記録再生部５３により、ハードディスクＨＤに記録された記録映像情報の再生が終了すると同時に、その再生済みの記録映像情報がハードディスクＤＨから順次に消去される。
【００２６】
ハードディスクＨＤへの記録処理についてより詳細に説明すると、記録再生部５３による記録処理によって、ハードディスクＨＤには、図２（ａ）に示すような録画ファイルが形成され、この録画ファイルには、アンテナ１及びＳＴＢ２（いずれも図１参照）により受信される“ニュース”、“映画”、“野球”、“ドラマ”等の衛星放送による各種番組の映像情報が放送時間帯毎に順次ハードディスクＨＤに記録されていく。
【００２７】
また、このような録画ファイルと並行して、ハードディスクＨＤには、図２（ｂ）に示すように、上記した“ニュース”や“映画”等の各番組毎の映像情報について検知情報を記録したコピーガード参照ファイルが形成され、コピーガード信号がない場合にはその旨を表わす“０”の検知情報が一定時間毎に繰り返し記録され、コピーガード信号がある場合にはその旨を表わす“１”の検知情報が一定時間毎に繰り返し記録される。尚、ここでの一定時間とは、１秒〜数秒であるのが好ましい。
【００２８】
例えば、“ニュース”番組の場合には、通常、違法コピーを禁止する必要はなく、“ニュース”番組の映像情報にはコピーガード信号が含まれていないため、“ニュース”番組の映像情報の記録時間帯には、“００００…００”と“０”の連続する検知情報がコピーガード参照ファイルに記録される。一方、“映画”番組の場合には、違法コピーを禁止する必要があり、“映画”番組の映像情報にはコピーガード信号が含まれているため、“映画”番組の映像情報の記録時間帯には、“１１１１…１１”と“１”の連続する検知情報がコピーガード参照ファイルに記録されるのである。
【００２９】
ところで、設定部５６にはテンキーをはじめとする各種の操作キーが設けられ、例えばテンキーの操作により、時間差再生を行う場合に遡ることができる最大時間（本発明における所定時間に相当）の可変設定が行えるようになっており、ユーザは、例えば３０分、１時間、２時間、３時間、４時間、…のうち所望の時間を選択、設定することができる。
【００３０】
尚、テンキーに代えて、３０分、１時間、２時間等の各時間に対応する選択キーを設け、これらの選択キーのうちいずれかを操作することで、時間設定を行えるようにしても構わない。
【００３１】
そして、記録再生部５３は、その番組の入力映像情報が設定部５６により設定された時間を超えるときには、ハードディスクＨＤの記録の先頭位置に戻って上書きしていく。そのため、設定部５６により設定された時間以上の時間差再生はできないようになっている。
【００３２】
また、記録再生部５３は、ハードディスクＨＤに記録された記録映像情報を再生する際に、検知情報（図２（ｂ）参照）と共に記録映像情報を再生すると同時に再生済みの記録映像情報をハードディスクＨＤから順次に消去していく。そのため、再生が終了した映像情報がハードディスクＨＤに残ることはなく、違法コピー行為には該当しない。尚、再生を行わなければ、ハードディスクＨＤに記録された記録映像情報が消去されることはない。
【００３３】
更に、記録再生部５３により再生された再生映像情報に検知情報が含まれていれば、コピーガード付加部５４により、その再生映像情報にコピーガード信号が付加され、Ｄ／Ａ５５によりアナログ化されて出力端子ＴＯを介してテレビジョン受像機等のモニタやＶＣＲといった外部表示機器に出力される。但し、再生された再生映像情報に検知情報が含まれていなければ、再生映像情報はそのまま出力される。例えば、コピーガード参照ファイルにおいて、“映画”番組の記録映像情報には、“１１１１…”の検知情報が記録されているため、映画”番組の再生映像情報にはコピーガード付加部５４によりコピーガード信号が付加され、“ニュース”番組の再生映像情報にはコピーガード信号は付加されない。
【００３４】
このとき、コピーガードが上記したマクロビジョン方式である場合には、コピーガード付加部５４及びＤ／Ａ５５として、フィリップス(Philips )社の型番ＳＡＡ７１２０のデジタルビデオエンコーダＩＣを利用することができ、このＩＣによれば、デジタル／アナログ変換が可能で、かつマクロビジョンによるコピーガード信号をバースト期間に付加することができる。
【００３５】
そして、出力端子ＴＯにＶＣＲが接続されている場合に、上記したようにコピーガード付加部５４によりコピーガード信号が付加された再生映像情報が出力端子ＴＯを介して出力されると、ＶＣＲによる違法コピーが禁止される一方、テレビジョン受像機等のモニタが出力端子ＴＯに接続されている場合には、出力端子ＴＯからの再生映像情報にコピーガード信号が付加されていると否とに関係なく、モニタにより再生映像が正常に表示される。
【００３６】
このように、コピーガード検知部５２により、入力映像情報に含まれているコピーガード信号が検知されると、コピーガード信号が含まれる旨の検知情報、発生され、記録再生部５３により、この検知情報が入力映像情報と共にハードディスクＨＤに記録される。
【００３７】
そして、記録再生部５３により、ハードディスクＨＤに記録された記録映像情報が再生される際に検知情報も一緒に再生され、これと同時に再生された記録映像情報がハードディスクＨＤから消去され、コピーガード付加部５４により、検知情報が含まれている再生映像情報にコピーガード信号が付加されて出力端子ＴＯに出力される。
【００３８】
従って、上記した実施形態によれば、コピーガード信号が付加されたアナログの入力映像情報であっても、時間差再生を行うことができ、ハードディスクＨＤには再生後の情報は一切残ることがなく、しかも元の入力映像情報と同じくコピーガード信号が付加された映像情報を出力端子ＴＯから出力することができて後段での違法コピーを防止することができる。
【００３９】
また、設定部５６により、時間差再生で遡ることのできる最大時間を可変できるため、ユーザの好みに合わせてこの最大時間を設定することができる。
【００４０】
なお、上記した実施形態では、マクロビジョン方式のコピーガードを例として挙げたが、本発明が適用できるのは、マクロビジョン方式に限定されるものではない。
【００４１】
また、上記した実施形態では、コピーガード信号が付加されたアナログの入力映像情報の時間差再生を行う場合について説明したが、コピーガード信号が付加されたデジタルの入力映像情報であっても、本発明を適用することができて、上記した実施形態と同等の効果を得ることができる。
【００４２】
更に、上記した実施形態では、記録ディスクとしてハードディスクＨＤを用いた場合について説明したが、記録ディスクはハードディスクに限定されるものでないのは勿論である。
【００４３】
また、本発明は上記した実施形態に限定されるものではなく、その趣旨を逸脱しない限りにおいて上述したもの以外に種々の変更を行うことが可能である。
【００４４】
【発明の効果】
以上のように、請求項１に記載の発明によれば、アナログの入力映像情報に含まれるコピーガード信号がコピーガード検知部により検知されて検知情報が発生され、記録再生部が、デジタル化された入力映像情報を前記記録ディスクに記録して録画ファイルを形成するとともに前記コピーガード検知部が発生した検知情報をこれに対応する映像情報の記録時間帯に関連付けながら前記記録ディスクに記録してコピーガード参照ファイルを形成するので、この録画ファイルとコピーガード参照ファイルとを共有化したことにより、時間差再生機能を有する情報再生装置において、コピーガード信号が付加されたアナログの入力映像情報を記録ディスクに記録することが可能になる。これに加えて、記録ディスクに記録された記録映像情報が再生される際に検知情報も一緒に再生され、再生済みの記録映像情報が記録ディスクから順次に消去されて再生後に映像情報が記録ディスクに一切残ることがなく、さらに、コピーガード付加部により、再生映像情報のうちの前記検知情報と記録時間帯が対応する再生映像情報のみに前記コピーガード信号を付加されて、元の入力映像情報と同じ状態にコピーガード信号が付加された映像情報を出力端子から出力することができることから、後段での違法コピーを防止することができる。この結果、コピーガード信号が付加された入力映像情報であっても、時間差再生を行うことが可能となる。
【００４５】
また、請求項２に記載の発明によれば、入力映像情報に含まれるコピーガード信号がコピーガード検知部により検知されてコピーガード信号が含まれている旨の検知情報が発生され、処理部が、デジタル化された入力映像情報を前記記録ディスクに記録して録画ファイルを形成する記録処理と、前記コピーガード検知部が発生した検知情報をこれに対応する映像情報の記録時間帯に関連付けながら前記記録ディスクに記録してコピーガード参照ファイルを形成する記録処理とを並行して実行するので、この録画ファイルとコピーガード参照ファイルとを共有化したことにより、時間差再生機能を有する情報再生装置において、コピーガード信号が付加されたアナログの入力映像情報を記録ディスクに記録することが可能になる。そして、処理部により、記録ディスクに記録された記録映像情報が再生される際に検知情報も一緒に再生され、コピーガード付加部により、再生映像情報のうちの前記検知情報と記録時間帯が対応する再生映像情報にのみに前記コピーガード信号が付加されるため、元の入力映像情報と同じ状態でコピーガード信号が付加された映像情報を出力端子から出力することができるから、後段での違法コピーを防止することが可能となる。これにより、コピーガード信号が付加された入力映像情報であっても、時間差再生を行うことが可能となる。
【００４６】
また、請求項３に記載の発明によれば、記録ディスクに記録された記録映像情報の再生が再生されると同時に再生された記録映像情報が記録ディスクから順次に消去されるため、記録ディスクには再生後に記録映像情報が一切残ることがなく、違法コピーとなることがない。
【００４７】
また、請求項４に記載の発明によれば、アナログ／デジタル変換部により、アナログの入力映像情報がデジタル化され、記録再生部により、デジタル化された入力映像情報を記録ディスクへの記録と記録ディスクに記録された記録映像情報の再生とを行われ、デジタル／アナログ変換部により、再生されたデジタルの再生映像情報をアナログ化されるようにすることができるため、アナログ対応のモニタ装置等により再生された再生映像情報を視聴することが可能になる。
【００４８】
また、請求項５に記載の発明によれば、処理部により、入力映像情報が所定時間分を超えるときには入力映像情報が記録ディスクの記録の先頭位置から上書き記録されるため、限られた容量の記録ディスクを有効に利用することができ、記録ディスクに記録された記録映像情報を所定時間遡って時間差再生することが可能になる。
【００４９】
また、請求項６に記載の発明によれば、記録ディスクに記録された記録映像情報を所定時間遡って再生するその所定時間を可変設定できるため、時間差再生で遡ることのできる最大時間をユーザの好みに合わせて可変設定することが可能になる。
【図面の簡単な説明】
【図１】この発明の一実施形態のブロック図である。
【図２】この発明の一実施形態の動作説明図である。
【符号の説明】
５    情報再生装置
５２  コピーガード検知部
５３  記録再生部
５４  コピーガード付加部
５６  設定部
ＨＤ  ハードディスク（記録ディスク）
ＴＯ  出力端子
【図１】
0003671882.tif 000002
【図２】
0003671882.tif 000003